【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
ＭＲデバイスの検査ボリューム内に配置された患者のボディの一部のＭＲ撮像の方法であって、
ａ）前記患者のボディの前記一部を、ＲＦパルス及び切り替え磁場勾配のＤｉｘｏｎシーケンスのＭＲ撮像シーケンスに当てることにより、２つ以上のエコー時間でＭＲエコー信号を生成するステップと、
ｂ）前記ＭＲエコー信号を取得するステップと、
ｃ）前記ＭＲエコー信号から、前記２つ以上のエコー時間のそれぞれに対して１つである単一エコーＭＲ画像を、２つ以上再構成するステップと、
ｄ）前記単一エコーＭＲ画像から血管をセグメント化するステップと、
ｅ）血管管腔内の前記単一エコーＭＲ画像において、血流で誘起された振幅又は位相の変動を検出し、且つ補償するステップと、
ｆ）補償された前記単一エコーＭＲ画像に対する、水及び脂肪スピンからの信号寄与を分離するステップと
を含む、方法。
【請求項２】
再構成された前記単一エコーＭＲ画像を比較することにより、前記血管管腔の外に血流で誘起されたゴーストを生ずるアーチファクトの位置を決定又は予測するステップであって、ゴーストを生ずるアーチファクトは、予測されたゴーストを生ずる前記位置で、前記単一エコーＭＲ画像のうちの１つと別のものとを比較したときの局所的な強度の低下及び／又は増加に基づき識別されるステップと、
前記ゴーストを生ずるアーチファクトを除去するステップと
をさらに含む、請求項１に記載の方法。
【請求項３】
患者の心拍数を測定するステップ、及び測定された前記心拍数に基づき、前記単一エコーＭＲ画像におけるゴーストを生ずるアーチファクトの位置を推定するステップをさらに含む、請求項１又は２に記載の方法。
【請求項４】
前記血管内の前記単一エコーＭＲ画像において、血流で誘起された前記振幅又は位相の前記変動は、血管領域内の前記単一エコーＭＲ画像において、前記振幅及び位相への脂肪スピンからの寄与はないと仮定することにより補償される、請求項１乃至３のいずれか一項に記載の方法。
【請求項５】
前記血管の境界を横断するＭＲ画像値の位相オフセットから、血流の速度を推定するステップをさらに含む、請求項１乃至４のいずれか一項に記載の方法。
【請求項６】
前記ＭＲ撮像シーケンスの読み出し磁場勾配の方向に対する血管方向が考慮される、請求項１乃至５のいずれか一項に記載の方法。
【請求項７】
前記補償された単一エコーＭＲ画像への水及び脂肪スピンからの信号寄与の最終的な分離は、前記血管の境界を横断する静磁場の推定に対して、空間平滑化制約を適用しない、又はわずかな空間平滑化制約のみを適用する、請求項１乃至６のいずれか一項に記載の方法。
【請求項８】
ＭＲデバイスの検査ボリューム内に配置された患者のボディの一部のＭＲ撮像の方法であって、
ａ）前記患者のボディの前記一部を、ＲＦパルス及び切り替え磁場勾配のＤｉｘｏｎシーケンスのＭＲ撮像シーケンスに当てることにより、２つ以上のエコー時間でＭＲエコー信号を生成するステップと、
ｂ）前記ＭＲエコー信号を取得するステップと、
ｃ）前記ＭＲエコー信号から、前記２つ以上のエコー時間のそれぞれに対して１つである単一エコーＭＲ画像を、２つ以上再構成するステップと、
ｄ）初期水ＭＲ画像及び初期脂肪ＭＲ画像を形成するために、前記単一エコーＭＲ画像に対する水及び脂肪スピンからの信号寄与を分離するステップと、
ｅ）前記初期水ＭＲ画像及び前記初期脂肪ＭＲ画像から血管をセグメント化するステップと、
ｆ）血管管腔内の前記初期水ＭＲ画像及び前記初期脂肪ＭＲ画像において、血流で誘起された振幅又は位相の変動を検出し、且つ補償するステップと、
を含む、方法。
【請求項９】
請求項１乃至７のいずれか一項に記載の方法を実行するためのＭＲデバイスであって、検査ボリューム内に一様な静磁場を生成するための少なくとも１つの主電磁コイルと、前記検査ボリューム内に、切り替え磁場勾配を様々な空間方向に生成するための複数の傾斜磁場コイルと、前記検査ボリューム内でＲＦパルスを生成し、及び／又は前記検査ボリューム内に位置する患者のボディからのＭＲ信号を受信するための少なくとも１つのＲＦコイルと、ＲＦパルス及び切り替え磁場勾配の時間的連続性を制御するための制御ユニットと、受信された前記ＭＲ信号からＭＲ画像を再構成するための再構成ユニットとを含み、前記ＭＲデバイスが、
ａ）前記患者のボディの一部を、ＲＦパルス及び切り替え磁場勾配のＤｉｘｏｎシーケンスのＭＲ撮像シーケンスに当てることにより、２つ以上のエコー時間でＭＲエコー信号を生成することと、
ｂ）前記ＭＲエコー信号を取得することと、
ｃ）前記ＭＲエコー信号から、前記２つ以上のエコー時間のそれぞれに対して１つである単一エコーＭＲ画像を、２つ以上再構成することと、
ｄ）前記単一エコーＭＲ画像から血管をセグメント化することと、
ｅ）血管管腔内の前記単一エコーＭＲ画像において、血流で誘起された振幅又は位相の変動を検出し、且つ補償することと、
ｆ）補償された前記単一エコーＭＲ画像に対する、水及び脂肪スピンからの信号寄与を分離することと
を実施する、ＭＲデバイス。
【請求項１０】
ＭＲデバイス上で動作させるコンピュータプログラムであって、
ａ）ＲＦパルス及び切り替え磁場勾配のＤｉｘｏｎシーケンスのＭＲ撮像シーケンスを生成するステップと、
ｂ）２つ以上のエコー時間でＭＲエコー信号を取得するステップと、
ｃ）前記ＭＲエコー信号から１つ又は複数の単一エコーＭＲ画像を再構成するステップと、
ｄ）前記単一エコーＭＲ画像から血管をセグメント化するステップと、
ｅ）血管管腔内の前記単一エコーＭＲ画像において、血流で誘起された振幅又は位相の変動を検出し、且つ補償するステップと、
ｆ）補償された前記単一エコーＭＲ画像に対する、水及び脂肪スピンからの信号寄与を分離するステップと
を実施するための命令を含む、コンピュータプログラム。
【請求項１１】
請求項８に記載の方法を実行するためのＭＲデバイスであって、検査ボリューム内に一様な静磁場を生成するための少なくとも１つの主電磁コイルと、前記検査ボリューム内に、切り替え磁場勾配を様々な空間方向に生成するための複数の傾斜磁場コイルと、前記検査ボリューム内でＲＦパルスを生成し、及び／又は前記検査ボリューム内に位置する患者のボディからのＭＲ信号を受信するための少なくとも１つのＲＦコイルと、ＲＦパルス及び切り替え磁場勾配の時間的連続性を制御するための制御ユニットと、受信された前記ＭＲ信号からＭＲ画像を再構成するための再構成ユニットとを含み、前記ＭＲデバイスが、
ａ）前記患者のボディの一部を、ＲＦパルス及び切り替え磁場勾配のＤｉｘｏｎシーケンスのＭＲ撮像シーケンスに当てることにより、２つ以上のエコー時間でＭＲエコー信号を生成することと、
ｂ）前記ＭＲエコー信号を取得することと、
ｃ）前記ＭＲエコー信号から、前記２つ以上のエコー時間のそれぞれに対して１つである単一エコーＭＲ画像を、２つ以上再構成することと、
ｄ）初期水ＭＲ画像及び初期脂肪ＭＲ画像を形成するために、前記単一エコーＭＲ画像に対する水及び脂肪スピンからの信号寄与を分離することと、
ｅ）前記初期水ＭＲ画像及び前記初期脂肪ＭＲ画像から血管をセグメント化することと、
ｆ）血管管腔内の前記初期水ＭＲ画像及び前記初期脂肪ＭＲ画像において、血流で誘起された振幅又は位相の変動を検出し、且つ補償することと、
を実施する、ＭＲデバイス。
【請求項１２】
ＭＲデバイス上で動作させるコンピュータプログラムであって、
ａ）患者のボディの前記一部を、ＲＦパルス及び切り替え磁場勾配のＤｉｘｏｎシーケンスのＭＲ撮像シーケンスに当てることにより、２つ以上のエコー時間でＭＲエコー信号を生成するステップと、
ｂ）前記ＭＲエコー信号を取得するステップと、
ｃ）前記ＭＲエコー信号から、前記２つ以上のエコー時間のそれぞれに対して１つである単一エコーＭＲ画像を、２つ以上再構成するステップと、
ｄ）初期水ＭＲ画像及び初期脂肪ＭＲ画像を形成するために、前記単一エコーＭＲ画像に対する水及び脂肪スピンからの信号寄与を分離するステップと、
ｅ）前記初期水ＭＲ画像及び前記初期脂肪ＭＲ画像から血管をセグメント化するステップと、
ｆ）血管管腔内の前記初期水ＭＲ画像及び前記初期脂肪ＭＲ画像において、血流で誘起された振幅又は位相の変動を検出し、且つ補償するステップと、
を実施するための命令を含む、コンピュータプログラム。